(57)【要約】【課題】ユーザＩＤに基づいてネットワークサービスを提供する際にも、ユーザの匿名性を確保しつつ、サービス提供者の確実な料金の回収を可能とする。【解決手段】サービス提供者装置２では、ユーザ管理処理部２ｂにより、ユーザ端末装置１からの要求に応じて新たなユーザＩＤを生成し、このユーザ端末装置１に払い出すと共にＩＤ管理データベース２ｃで記憶し、店舗装置３からこのユーザＩＤの通知を受けると、サービス提供処理部２ａにより、このユーザＩＤを払い出した先のユーザ端末装置１に、このユーザ端末装置１から要求された情報処理サービスを提供し、ユーザ管理処理部２ｂにより、店舗装置３に対して、ユーザ端末装置１に提供したサービスに関する課金処理を行う。【選択図】        図１
2004342027.tif 000002
【特許請求の範囲】
【請求項１】
ネットワークを介して情報処理サービスの提供を行うシステムであって、
第１のコンピュータ装置からの要求に応じて新たな識別情報を生成して該第１のコンピュータ装置に払い出すと共に記憶装置に記憶する手段と、
第２のコンピュータ装置から上記記憶装置に記憶した識別情報と同じ識別情報の通知を受けると、該識別情報を払い出した先の上記第１のコンピュータ装置に、該第１のコンピュータ装置から上記識別情報に対応付けて要求された情報処理サービスを提供する手段と、
上記第２のコンピュータ装置に対して、上記第１のコンピュータ装置に提供した情報処理サービスに関する課金処理を行う手段と
を有することを特徴とするサービス提供システム。
【請求項２】
請求項１に記載のサービス提供システムであって、
上記第２のコンピュータ装置からの上記識別情報の通知は、上記第１のコンピュータ装置のユーザから上記第２のコンピュータ装置の管理者への上記情報処理サービスの利用料金の支払い後に行うことを特徴とするサービス提供システム。
【請求項３】
ネットワークを介して情報処理サービスの提供を行うサービス提供装置と、
ネットワークを介して上記情報処理サービスの提供を受けるユーザ端末装置と、ネットワークを介して上記サービス提供装置との課金処理を行う第三者端末装置からなるサービス提供システムであって、
上記サービス提供装置は、
上記第三者端末装置の識別情報を課金テーブル記憶装置に記憶する手段と、上記ユーザ端末装置からの要求に応じて新たなユーザＩＤを生成して当該ユーザ端末装置に通知すると共にＩＤ管理テーブル記憶装置に記憶する手段とを有し、
上記ユーザ端末装置は、
上記サービス提供装置に上記ユーザＩＤを要求すると共に該サービス提供装置から通知されるユーザＩＤを用いて上記情報処理サービスの提供を要求する手段を有し、
上記第三者端末装置は、
上記サービス提供装置に、上記ユーザＩＤと自第三者端末装置の識別情報を通知する手段を有し、
上記サービス提供装置は、
上記課金テーブル記憶装置に識別情報を記憶した第三者端末装置から通知され且つ上記ＩＤ管理テーブル記憶装置に記憶しているユーザＩＤを用いて要求された情報処理サービスを要求元のユーザ端末装置に提供し、当該ユーザＩＤを通知してきた第三者端末装置に対して上記ユーザ端末装置に提供した情報処理サービスに関する課金処理を行うことを特徴とするサービス提供システム。
【請求項４】
請求項３に記載のサービス提供システムであって、
上記第三者端末装置は、上記ユーザＩＤと共に、上記ユーザ端末装置を操作するユーザにより入金された金額を上記サービス提供装置に通知する手段を有し、
上記サービス提供装置は、
上記ＩＤ管理テーブル記憶装置において、上記ユーザＩＤに対応付けて、当該ユーザＩＤと共に上記第三者端末装置から通知されるユーザの入力金額と該第三者端末装置の識別情報とを記憶する手段と、
上記課金テーブル記憶装置において、上記第三者端末装置の識別情報に対応付けて当該第三者端末装置に課金する金額情報を記憶する手段と、
該第三者端末装置に課金した金額だけ、上記ＩＤ管理テーブル記憶装置において当該第三者端末装置の識別情報に対応付けられた入力金額から減算する手段とを有し、上記ＩＤ管理テーブル記憶装置において記憶した金額分だけ当該ユーザＩＤを用いた情報処理サービスの提供を行うことを特徴とするサービス提供システム。
【請求項５】
請求項３に記載のサービス提供システムであって、
上記第三者端末装置は、上記ユーザＩＤと共に、上記ユーザ端末装置を操作するユーザにより入金された金額を上記サービス提供装置に通知する手段を有し、
上記サービス提供装置は、
上記ＩＤ管理テーブル記憶装置において、複数の上記第三者端末装置から同じユーザＩＤで通知されるユーザの入力金額と各第三者端末装置の識別情報とを個別に記憶する手段と、
複数の上記第三者端末装置のいずれか１つに対して、上記ユーザ端末装置に提供したサービスに応じた課金処理を行い、課金した金額だけ、上記ＩＤ管理テーブル記憶装置において当該第三者端末装置の識別情報に対応付けられた入力金額から減算する手段とを有することを特徴とするサービス提供システム。
【請求項６】
請求項５に記載のサービス提供システムであって、
上記サービス提供装置は、
上記ＩＤ管理テーブル記憶装置において、同じユーザＩＤのそれぞれに対応付けて、上記複数の第三者端末装置の識別情報とユーザの入力金額と共に、入金日時情報を記憶する手段と、
古い入金日時情報に対応付けられた識別情報の第三者端末装置から順に上記課金処理と入力金額からの減算を行う手段とを有することを特徴とするサービス提供システム。
【請求項７】
請求項３に記載のサービス提供システムであって、
上記第三者端末装置は、上記ユーザ端末装置を操作するユーザにより入金された金額を上記サービス提供装置に通知する手段を有し、
上記サービス提供装置は、上記第三者端末装置から通知された金額分の課金を該第三者端末装置に対して行う手段を有することを特徴とするサービス提供システム。
【請求項８】
請求項７に記載のサービス提供システムであって、
上記サービス提供装置は、上記第三者端末装置から通知された金額を上記ＩＤ管理テーブル記憶装置において当該ユーザＩＤに対応付けて記憶する手段と、当該ユーザＩＤを用いて要求され提供した情報処理サービスの料金分だけ上記ＩＤ管理テーブル記憶装置において記憶した金額を減算する手段とを有し、
上記ＩＤ管理テーブル記憶装置において記憶した金額分だけ当該ユーザＩＤを用いた情報処理サービスの提供を行うことを特徴とするサービス提供システム。
【請求項９】
請求項７もしくは請求項８のいずれかに記載のサービス提供システムであって、
上記サービス提供装置は、複数の上記第三者端末装置から同じユーザＩＤで通知される金額を、上記ＩＤ管理テーブル記憶装置において加算して当該ユーザＩＤに対応付けて記憶する手段を有することを特徴とするサービス提供システム。
【請求項１０】
請求項１から請求項９のいずれかに記載のサービス提供システムであって、
上記情報処理サービスは、インターネット接続サービス、電子メールサービス、有料ディジタルコンテンツ配信サービスを含むことを特徴とするサービス提供システム。
【請求項１１】
請求項３から請求項９のいずれかに記載のサービス提供システムであって、
上記ユーザＩＤはメールアドレスからなり、上記サービス提供装置は、該ユーザＩＤを用いた電子メールサービスを提供する手段を有することを特徴とするサービス提供システム。
【請求項１２】
コンピュータを、請求項１から請求項１１のいずれかに記載のサービス提供システムにおける各手段として機能させるためのプログラム。
【請求項１３】
ネットワークを介して情報処理サービスの提供を行うシステムのサービス提供方法であって、
第１のコンピュータ装置からの要求に応じて新たな識別情報を生成して該第１のコンピュータ装置に払い出すと共に記憶装置に記憶する手順と、
第２のコンピュータ装置から上記記憶装置に記憶した識別情報と同じ識別情報の通知を受けると、該識別情報を払い出した先の上記第１のコンピュータ装置に、該第１のコンピュータ装置から要求されたサービスを提供する手順と、
上記第２のコンピュータ装置に対して、上記第１のコンピュータ装置に提供したサービスに関する課金処理を行う手順と
を有することを特徴とするサービス提供方法。
【請求項１４】
ネットワークを介して情報処理サービスの提供を行うシステムのサービス提供方法であって、
情報処理サービスを提供するサービス提供者装置において、任意のユーザ端末からの要求に応じて新たな識別情報を生成し該ユーザ端末に払い出すと共に記憶装置に記憶する手順と、
ネットワークを介して上記サービス提供者装置との間で課金処理を行う第３者端末装置において、上記ユーザ端末のユーザによる料金の入金と上記識別情報の入力があれば、該第３者端末装置から上記サービス提供者装置に上記識別情報を通知する手順と、
上記サービス提供者装置において、上記第３者端末装置から上記記憶装置に記憶した識別情報と同じ識別情報の通知を受けると、該識別情報を払い出した先のユーザ端末に、該ユーザ端末から要求されたサービスを提供する手順と、
上記サービス提供者装置において、上記第３者端末装置に対し、上記ユーザ端末に提供したサービスに関する課金処理を行う手順と
を有することを特徴とするサービス提供方法。
【請求項１５】
請求項１３もしくは請求項１４のいずれかに記載のサービス提供方法であって、
上記情報処理サービスは、インターネット接続サービス、電子メールサービス、有料ディジタルコンテンツ配信サービスを含むことを特徴とするサービス提供方法。
【発明の詳細な説明】
【０００１】
【発明の属する技術分野】
本発明は、インターネット等のネットワークを介して動画像や静止画像、音情報などのデジタルコンテンツの配信サービス、あるいは、電子メールサービス等の情報処理サービスを提供する技術に係わり、特に、提供するサービスの流通促進、および、有料ネットワーク利用サービスの促進を図るのに好適なネットワークサービス技術に関するものである。
【０００２】
【従来の技術】
一般に、インターネット等を介してオンライン上で有料サービス提供を行うサービス提供者は、サービスを提供する相手であるユーザに対し予め一意な識別情報（以降、ユーザＩＤと表記する）を付与しておき、実際に有料サービスを提供する際は、ユーザＩＤに関連づけてサービスを提供する。
【０００３】
例えば、電話回線を用いたインターネット接続サービスにおいては、サービス提供者であるＩＳＰ（Ｉｎｔｅｒｎｅｔ  Ｓｅｒｖｉｃｅ  Ｐｒｏｖｉｄｅｒ）は、ユーザごとのインターネット接続時間とユーザＩＤとを関連付けておき、例えばインターネット接続時間に比例した金額をユーザに課金する。
【０００４】
ここで、特に有料サービスのためのユーザＩＤは、ユーザＩＤで識別されるユーザに対して確実に課金することを保証する情報（例えば当該ユーザのクレジットカード番号）をユーザＩＤと関連付けて管理する必要がある。
【０００５】
さらに、クレジットカード番号はユーザの確実な支払を担保するための情報であるから、洗い替え等を行って定期的にその担保性を確認する必要がある。
【０００６】
一方、有料サービスを受けようとするユーザは、自身の支払いを担保するための情報（例えばクレジットカード番号）をサービス提供者へ通知する必要がある。しかし、この時、同時にユーザの匿名性が失われる。
【０００７】
有料サービスのサービス提供者は、より多くのユーザにサービス提供を行うことで収益を増大させたい。しかし上記のように、有料サービスに伴うユーザのデメリット（クレジットカード番号の通知や匿名性の欠落等）がその障害となっていた。
【０００８】
ユーザの匿名性を失うことなく有料サービスの提供を可能とするための従来技術として、例えば、特許文献１および特許文献２に記載のものがある。特許文献１においては、プリぺイドカードを用いた技術が記載され、また、特許文献２においては、中間アカウントを利用した電子支払いシステムが記載されている。
【０００９】
しかし、これらの特許文献１および特許文献２のそれぞれで記載されている技術は、サービス提供者がユーザにサービスを提供する場合において、サービス提供者に対するユーザの匿名性は担保するが、サービス提供者がユーザを特定する情報を得ることができない。つまり、サービス提供者がユーザを一意に特定するためのユーザＩＤをユーザに付与し、サービス提供者が、このユーザＩＤに基づいてサービスを提供することができない。
【００１０】
【特許文献１】
特表２００２−５２９０２３号公報
【特許文献２】
特表２００２−５３０７５７号公報
【００１１】
【発明が解決しようとする課題】
解決しようとする問題点は、従来の技術では、サービス提供者からユーザに、当該ユーザの固有の識別情報（ユーザＩＤ）に基づいてのサービスを提供することができない点である。
【００１２】
本発明の目的は、これら従来技術の課題を解決し、ユーザが、ユーザ固有の識別情報（ユーザＩＤ）に基づいてのインターネット接続サービスやメールサービス、および、有料コンテンツの配信等の有料サービスを享受する場合においても、従来必要であったクレジットカード番号等の自身の支払いを担保するための情報をサービス提供者に通知することを不要とし、また、ユーザのサービス提供者に対する匿名性を確保可能とし、さらに、サービス提供者が、有料サービスを提供する際、対象ユーザの支払能力を確認する手間を省くことができ、かつ当該ユーザが使用したサービスに対する料金を確実に回収することを可能とすることである。
【００１３】
【課題を解決するための手段】
上記目的を達成するため、本発明では、ネットワークを介して有料サービスを提供するサービス提供者と、有料サービスの提供を要求するユーザと、ユーザとサービス提供者間に介在する第三者間で、各々コンピュータ装置を用いて通信し、ユーザは、サービス提供者から一時的なユーザＩＤ（識別情報）を取得し、このユーザＩＤで利用するサービス料金を第三者に支払い、第三者がサービス提供者に対して、当該ユーザＩＤを用いたユーザによる有料サービスの利用に関する支払いの保証を通知し、サービス提供者は、当該ユーザＩＤを用いたユーザ要求に応じて有料サービスを提供し、第三者は、サービス提供者に対して、当該ユーザＩＤを用いたユーザによる有料サービスの利用に関する支払いを行う。これにより、ユーザは、個人情報をサービス提供者に通知することなく有料サービスの提供を受けることができ、また、サービス提供者は、提供した有料サービスの料金回収が保証される。
【００１４】
【発明の実施の形態】
以下、本発明の実施の形態を、図面により詳細に説明する。
【００１５】
図１は、本発明に係わるサービス提供システムの構成例を示すブロック図である。
【００１６】
図１において、１はネットワークを介して有料コンテンツの配信サービスやインターネット接続サービスあるいは電子メールサービス等の情報処理サービスの提供を要求するユーザが操作するコンピュータ装置としてのユーザ端末装置（図中「ユーザ端末」と記載）、２はユーザ端末装置１からの要求に応じた情報処理サービスを行うサービス提供事業者が設置するコンピュータ装置としてのサービス提供者装置、３はサービス提供事業者がユーザに提供する情報処理サービスに対する料金支払いの保証をサービス提供事業者に対して行う仲介サービス業者が設置するコンピュータ装置としての店舗装置である。
【００１７】
これらのユーザ端末装置１、サービス提供者装置２、店舗装置３のそれぞれは、ＣＰＵ（Ｃｅｎｔｒａｌ  Ｐｒｏｃｅｓｓｉｎｇ  Ｕｎｉｔ）や主メモリ、表示装置、入力装置、外部記憶装置を具備したコンピュータ構成となっており、光ディスク駆動装置等を介してＣＤ−ＲＯＭ等の記憶媒体に記録されたプログラムやデータを外部記憶装置内にインストールした後、この外部記憶装置から主メモリに読み込みＣＰＵで処理することにより、各処理部の機能を実行する。
【００１８】
例えば、ユーザ端末装置１は、ＩＤ処理部１ａとサービス処理部１ｂ等を有し、サービス提供者装置２は、サービス提供処理部２ａ、ユーザ管理処理部２ｂを有すると共に記憶装置としてＩＤ管理データベース（図中「ＩＤ管理ＤＢ」と記載）２ｃと課金データベース（図中「管理ＤＢ」と記載）２ｄを有し、店舗装置３は接続処理部３ａを有する。
【００１９】
サービス提供者装置２では、ユーザ管理処理部２ｂにより、ユーザ端末装置１からの要求に応じて新たな識別情報（ユーザＩＤ）を生成して、要求元のユーザ端末装置１に払い出すと共にＩＤ管理データベース２ｃで記憶し、店舗装置３からこのＩＤ管理データベース２ｃで記憶したユーザＩＤと同じユーザＩＤの通知を受けると、サービス提供処理部２ａにより、このユーザＩＤを払い出した先のユーザ端末装置１に、このユーザ端末装置１から要求された有料コンテンツの配信や電子メールサービス、インターネット接続サービス等の情報処理サービスを提供し、さらに、ユーザ管理処理部２ｂにより、店舗装置３に対して、ユーザ端末装置１に提供したサービスに関する課金処理を行う。
【００２０】
尚、店舗装置３からサービス提供者装置２へのユーザＩＤの通知は、ユーザ端末装置１のユーザから店舗装置３の設置・管理者への当該情報処理サービスの利用料金の支払い後に行われ、この店舗装置３からサービス提供者装置２へのユーザＩＤの通知により、このユーザＩＤに基づきサービス提供者装置２が提供する情報処理サービスに関しての、店舗装置３によるサービス提供者装置２への課金処理が保証される。
【００２１】
また、サービス提供者装置２は、ユーザ管理処理部２ｂにより、店舗装置３の識別情報を課金データベース２ｄにおいて記憶し、また、ＩＤ管理データベース２ｃにおいて、新たに生成したユーザＩＤに対応付けて、当該ユーザＩＤを通知してきた店舗装置３の識別情報を記憶する。これにより、当該ユーザＩＤに基づき提供するサービスの課金先を店舗装置３として特定することができる。
【００２２】
ユーザ端末装置１は、ＩＤ処理部１ａにより、サービス提供者装置２に対してユーザＩＤを要求して通知を受け、サービス処理部１ｂにより、このサービス提供者装置２から通知されるユーザＩＤを用いて情報処理サービスの提供を要求する。
【００２３】
店舗装置３は、ユーザ端末装置１のユーザから情報処理サービスの利用料金の支払いが完了すると、接続処理部３ａにより、サービス提供者装置２に対して、ユーザ端末装置１のユーザから通知されたユーザＩＤと自店舗装置３の識別情報およびユーザが支払った金額を通知する。
【００２４】
サービス提供者装置２は、店舗装置３から通知されたユーザＩＤと店舗装置３の識別情報およびユーザの支払金額を受け取ると、ユーザ管理処理部２ｂにより、ＩＤ管理データベース２ｃにおける当該ユーザＩＤに対応付けて、店舗装置３の識別情報およびユーザの支払金額を記憶する。
【００２５】
そして、サービス提供者装置２は、ユーザ端末装置１から、ユーザＩＤに基づく情報処理サービスの要求があれば、ユーザ管理処理部２ｂにおいて、このユーザＩＤが、課金データベース２ｄに識別情報を記憶した店舗装置３から通知されたものであることを、ＩＤ管理データベース２ｃの記憶内容を参照して判断し、サービス提供処理部２ａにより、要求された情報処理サービスを、要求元のユーザ端末装置１に提供し、その後、ユーザ管理処理部２ｂにおいて、このユーザ端末装置１に提供した情報処理サービスに関する課金処理を、当該ユーザＩＤを通知してきた店舗装置３に対して行う。
【００２６】
サービス提供者装置２は、上述のように、ＩＤ管理データベース２ｃにおいて、ユーザ端末装置１からの要求に応じて新たに生成したユーザＩＤに対応付けて、当該ユーザＩＤと共に店舗装置３から通知されるユーザの支払済金額と店舗装置３の識別情報とを記憶すると共に、課金データベース２ｄにおいて、店舗装置３の識別情報に対応付けて当該店舗装置３に課金する金額情報、すなわち、ユーザ端末装置１に提供したサービスの利用金額を記憶する。
【００２７】
そして、サービス提供者装置２は、ユーザ管理処理部２ｂにおいて、店舗装置３に課金した金額だけ、ＩＤ管理データベース２ｃにおいて当該店舗装置３の識別情報と共にユーザＩＤに対応付けられた入力金額から減算する。このように管理することにより、減算された入力金額の残金がある間、何度でも、ユーザ端末装置１のユーザは、当該ユーザＩＤに基づく任意のサービス提供を要求して受けることができる。
【００２８】
尚、要求された情報処理サービスが電子メールサービスであれば、サービス提供者装置２は、ユーザ管理処理部２ｂにより、メールアドレスをユーザＩＤとして生成し、要求元のユーザ端末装置１に通知すると共にＩＤ管理データベース２ｃに記憶し、このユーザＩＤ（メールアドレス）を用いた電子メールサービスを提供する。
【００２９】
このように、本例では、サービス提供者（サービス提供者装置２の設置者）がユーザ（ユーザ端末装置１の利用者）に対して有料サービスを提供する際に必要な料金支払いの担保を、ユーザ自身とは別の第三者（店舗装置２の設置管理者）が負っている。
【００３０】
ユーザと第三者の間の料金支払いは、例えば現金やクレジットカードで行うことが想定される。このとき、第三者は、ユーザと現金やクレジットカードでの料金の授受を行うために、対面施設のある店舗等を有することを想定する。
【００３１】
尚、第三者の識別情報（ＩＤ：Ｉｄｅｎｔｉｆｉｅｒ）は予めサービス提供者側に登録しており、従来技術によるオンライン有料サービス提供技術と同様にして、サービス提供者は第三者に対して課金することができる。
【００３２】
このように、ユーザＩＤに関連付けられた料金の支払いを、特定の第三者が負うので、例えば従来必要であったユーザＩＤとクレジットカード番号に代表される支払いの担保となる情報との関連付けが不要であり、サービス提供者は、ユーザＩＤを簡易に払い出し、このユーザＩＤに対して有料サービスを安心して提供することができる。
【００３３】
このような処理を、図１におけるＴ１〜Ｔ５で示されるステップに基づき説明する。
【００３４】
サービス提供者装置２は、ユーザ端末装置１に対して、ユーザＩＤを払い出す（ステップＴ１）。ユーザ端末装置１は、店舗装置３に対して、サービス提供者装置２から払い出されたユーザＩＤを通知し、現金（ｘ円）を支払う（ステップＴ２）。
【００３５】
店舗装置３は、サービス提供者装置２に対して、支払いを完了したユーザＩＤの有効化を要求し（ステップＴ３）、当該ユーザＩＤに基づき提供されるサービスに対する課金を保証する。この際、上限額も通知する（例えばｘ円）。また、この際、店舗装置３の識別情報（ＩＤ）をサービス提供者装置２に通知する。
【００３６】
サービス提供者装置２は、ステップＴ３の処理で通知された上限額の範囲内でユーザ端末装置１に対して有料サービスを提供する（ステップＴ４）。そして、このステップＴ４の処理で発生した料金について、サービス提供者装置２は、店舗装置３に対して課金する（ステップＴ５）。
【００３７】
次に、図２を用いて、図１におけるサービス提供システムの具体的な処理動作例を説明する。
【００３８】
図２は、図１におけるサービス提供システムの第１の処理動作例を示すシーケンス図である。
【００３９】
本図２の例では、喫茶店における無線ネット接続サービスに接続しているユーザ端末装置２１のユーザがインターネットを経由してコンテンツプロバイダから有料コンテンツを購入する際の処理動作例を示している。
【００４０】
喫茶店は、無線ＬＡＮアクセスポイントを備え、インターネット接続環境をユーザに提供する。また喫茶店は、コンテンツプロバイダに接続するための店舗端末２３（図中「喫茶店」と記載）を有する。
【００４１】
ユーザは、無線ＬＡＮカードを備えたユーザ端末装置２１で喫茶店の無線ＬＡＮアクセスポイントを経由してインターネットに接続する。
【００４２】
コンテンツプロバイダは、サービス提供者装置２２（図中「コンテンツプロバイダ」と記載）により、インターネット上で有料コンテンツを販売する。コンテンツプロバイダのサービス提供者装置２２は、ＩＤ管理データベース（図中「ＩＤ管理ＤＢ」と記載）２２ｃと課金データベース（図中「課金ＤＢ」と記載）２２ｄを有し、ＩＤ管理データベース２２ｃではＩＤ管理テーブル２０ｃにおいてユーザＩＤに関連するデータの管理を行い、課金データベース２２ｄでは課金テーブル２０ｄにおいて課金に関するデータの管理を行っている。
【００４３】
このような構成においてユーザは、ユーザ端末装置２１により喫茶店の無線ＬＡＮアクセスポイントに接続し（ステップＳ１）、コンテンツプロバイダにおけるサービス提供者装置２２にユーザＩＤの発行を要求する（ステップＳ２）。
【００４４】
コンテンツプロバイダのサービス提供者装置２２は、ＩＤ管理データベース２２ｃのＩＤ管理テーブル２０ｃに新しいエントリ（ユーザＩＤ＝ｕｉｄ，残金＝０，課金先＝ＮＵＬＬ）を作成し（ステップＰ１）、新たに生成して記憶したユーザＩＤ（「ｕｉｄ」）をユーザ端末装置２１へ返す（ステップＳ３）。
【００４５】
ユーザ端末装置２１のユーザはオフラインにて喫茶店の店員に、ユーザＩＤ（「ｕｉｄ」）を通知すると共に現金１０００円を支払う（ステップＳ４，Ｐ２）。
【００４６】
喫茶店の店員は、喫茶店の端末（店舗装置２３）を用い、コンテンツプロバイダのサービス提供者装置２２に対し、当該ユーザＩＤ（「ｕｉｄ」）の有効化と１０００円のチャージを要求する（ステップＳ５）。尚、このステップＳ５の処理でのメッセージには、ユーザＩＤ（「ｕｉｄ」）と金額（１０００円）の他、喫茶店（店舗装置２３）自身の識別情報（ＩＤ＝ｘｉｄ）も付帯する。
【００４７】
コンテンツプロバイダは、サービス提供者装置２２により、ステップＳ５での店舗装置２３からの要求に対し、ＩＤ管理データベース２２ｃのＩＤ管理テーブル２０ｃにおける当該ユーザＩＤ（「ｕｉｄ」）のレコードにおける各項目（残金＝１０００円，課金先＝ｘｉｄ）を更新し（ステップＰ３）、ステップＳ５での要求を受けたことを示すレスポンスを喫茶店の店舗装置２３に返す（ステップＳ６）。
【００４８】
喫茶店の店舗装置２３を操作している店員は、ステップＳ６でのコンテンツプロバイダのサービス提供者装置２２からのレスポンスを受け、オフラインにて、ユーザ端末装置２１のユーザに１０００円のチャージが完了したことを通知する（ステップＳ７）。
【００４９】
ユーザは、ユーザ端末装置２１により、コンテンツプロバイダのサービス提供者装置２２に対し、３００円のコンテンツの購入を要求する（ステップＳ８）。
【００５０】
コンテンツプロバイダのサービス提供者装置２２は、ステップＳ８でのユーザからの要求に対し、ＩＤ管理データベースのＩＤ管理テーブル２０ｃにおけるユーザＩＤが「ｕｉｄ」のエントリにおいて、残金が３００円以上であるか否かを判別し、残金が３００円以上の場合には、ＩＤ管理テーブル２０ｃにおいて、残金（１０００円）から３００円を減算した７００円を設定し、課金先（ｘｉｄ）を参照して、課金データベース２２ｄにおける課金テーブル２０ｄに新しいエントリ（ＩＤ＝ｘｉｄ、課金額＝３００）を作成する（ステップＰ４）。尚、仮に、残金が３００円より少ない場合には何もしない（ステップＰ４ｘ）。
【００５１】
コンテンツプロバイダのサービス提供者装置２２は、コンテンツと共に、レスポンスをユーザ端末装置２１に返す（ステップＳ９）。そして、コンテンツプロバイダは、サービス提供者装置２２により、課金データベース２２ｄの課金テーブル２０ｄの情報に基づき、喫茶店（店舗装置２３）に対して３００円を課金する（ステップＳ１０）。
【００５２】
以上の処理では、１つのユーザＩＤに１つの課金先を対応付けた例を示しているが、１つのユーザＩＤに対して複数の課金先を対応付けて課金管理することも可能である。すなわち、ユーザ端末装置１のユーザは、同じユーザＩＤでそれぞれ異なる複数の喫茶店（店舗）において利用金額の支払いを行うことができ、この場合、各店舗装置からサービス提供者装置２に、それぞれの異なる店舗の識別情報と、同じユーザＩＤが通知され、サービス提供者装置２は、ユーザ管理処理部２ｂにより、ＩＤ管理データベース２ｃにおいて、同じユーザＩＤで、それぞれ個別に対応付けて、複数の店舗装置の識別情報とユーザの支払金額とを記憶する。
【００５３】
そして、サービス提供者装置２は、当該ユーザＩＤに基づくサービス提供の要求がユーザ端末装置１からあれば、複数の店舗装置のいずれかに対してサービス利用料金の課金処理を行い、課金先の店舗装置が対応付けられたＩＤ管理データベース２ｃにおけるユーザ入力金額（ユーザが利用料金として支払った金額）を課金分だけ減算する。
【００５４】
また、サービス提供者装置２は、ユーザ管理処理部２ｂにより、ＩＤ管理データベース２ｃにおいて、同じユーザＩＤのそれぞれに対応付けて、複数の店舗装置の識別情報とユーザの入力金額と共に、入金日時情報を記憶し、古い入金日時情報に対応付けられた識別情報の店舗装置から順に、上述の課金処理と入力金額からの減算を行う。
【００５５】
以下、入金日時情報を用いたその具体的な処理動作例を、以下の図３，４を用いて説明する。
【００５６】
図３は、図１におけるサービス提供システムの第２の処理動作例を示すシーケンス図であり、図４は、図１におけるサービス提供システムの第３の処理動作例を示すシーケンス図である。
【００５７】
図３および図４においては、図２で説明した例と同様、喫茶店における無線ネット接続サービスに接続しているユーザがインターネットを経由して有料コンテンツを購入する際の処理動作例を示している。ただし、本図３，４の例では、ユーザが、喫茶店ｘ（ＩＤ：ｘｉｄ）と、喫茶店ｙ（ＩＤ：ｙｉｄ）という複数の店舗に対して料金を支払うという点と、ユーザが、複数回サービス提供を要求するという点が図２の例と異なる。
【００５８】
まず、図３において、ユーザは、ユーザ端末装置３１により喫茶店ｘの無線ＬＡＮアクセスポイントに接続して（ステップＳ１ａ）、コンテンツプロバイダのサービス提供者装置３２に対して新たなユーザＩＤの発行を要求する（ステップＳ２）。
【００５９】
コンテンツプロバイダのサービス提供者装置３２は、ＩＤ管理データベース３２ｃのＩＤ管理テーブル３０ｃに新しいエントリ（ユーザＩＤ＝ｕｉｄ，残金＝０，入金日＝ＮＵＬＬ，課金先＝ＮＵＬＬ）を作成し、ユーザＩＤ（「ｕｉｄ」）をユーザ端末装置３１へ返す（ステップＳ３）。
【００６０】
２００３年４月１日に、ユーザはオフラインにて喫茶店ｘの店員に、ユーザＩＤ（「ｕｉｄ」）を通知すると共に現金１０００円を支払う（ステップＳ４ａ，Ｐ２ａ）。
【００６１】
喫茶店ｘの店員は、喫茶店ｘの端末（店舗装置３３）を用いて、コンテンツプロバイダのサービス提供者装置３２に対し、ユーザＩＤ（「ｕｉｄ」）の有効化と１０００円のチャージを要求する（ステップＳ５ａ）。尚、このステップＳ５ａでのメッセージには、ユーザＩＤ（「ｕｉｄ」）と金額（１０００円）の他、喫茶店ｘ自身（店舗装置３３）の識別情報（ＩＤ＝ｘｉｄ）も付帯する。
【００６２】
コンテンツプロバイダのサービス提供者装置３２は、ステップＳ５ａでの店舗装置３３からの要求に対し、ＩＤ管理データベース３２ｃにおけるＩＤ管理テーブル３０ｃに新しいエントリ（ユーザＩＤ＝ｕｉｄ，残金＝１０００円，入金日＝２００３．０４．０１，課金先＝ｘｉｄ）を作成し（ステップＰ３ａ）、ステップＳ５ａでの要求を受けた旨のレスポンスを返す（ステップＳ６ａ）。
【００６３】
喫茶店ｘの店員は、店舗装置３３により、ステップＳ６ａでのコンテンツプロバイダのサービス提供者装置３２からのレスポンスを受け、オフラインにてユーザ端末装置３１のユーザに１０００円のチャージが完了したことを通知する（ステップＳ７ａ）。
【００６４】
さらに、２００３年４月１０日に、ユーザはオフラインで、別の喫茶店ｙの店員に、２００３年４月０１日に取得したものと同じユーザＩＤ（「ｕｉｄ」）を通知すると同時に現金２０００円を支払う（ステップＳ４ｂ，Ｐ２ｂ）。
【００６５】
喫茶店ｙの店員は、喫茶店ｙの端末（店舗装置３４）を用いて、コンテンツプロバイダのサービス提供者装置３２に対し、当該ユーザＩＤ（「ｕｉｄ」）の有効化と２０００円のチャージを要求する（ステップＳ５ｂ）。尚、このステップＳ５ｂでのメッセージには、ユーザＩＤ（［ｕｉｄ］）と金額（２０００円）の他、喫茶店ｙ（店舗装置３４）自身の識別情報（ＩＤ＝ｙｉｄ）も付帯する。
【００６６】
コンテンツプロバイダのサービス提供者装置３２は、ステップＳ５ｂでの店舗装置３４からの要求に対し、ＩＤ管理データベース３２ｃのＩＤ管理テーブル３０ｃに新しいエントリ（ユーザＩＤ＝ｕｉｄ，残金＝２０００円，入金日＝２００３．０４．１０，課金先＝ｙｉｄ）を作成し（ステップＰ３ｂ）、喫茶店ｙの店舗装置３４に対して、ステップＳ５ｂでの要求を受けた旨のレスポンスを返す（ステップＳ６ｂ）。
【００６７】
喫茶店ｙの店員は、店舗装置３４により、ステップＳ６ｂでのコンテンツプロバイダのサービス提供者装置３２からのレスポンスを受け、オフラインにてユーザに２０００円のチャージが完了したことを通知する（ステップＳ７ｂ）。
【００６８】
次に図４において、ユーザは、ユーザ端末装置３１により、コンテンツプロバイダのサービス提供者装置３２に対し、３００円のコンテンツの購入を要求する（ステップＳ８ａ）。
【００６９】
コンテンツプロバイダのサービス提供者装置３２は、ステップＳ８ａでのユーザ端末装置３１からの要求に対し、ＩＤ管理データベース３２ｃのＩＤ管理テーブル３０ｃにおけるユーザＩＤが「ｕｉｄ」で、かつ残金が０円より大きいもののエントリを全て抽出し、入金日の一番古いものから優先的に減算していく。ここでは、入金日が「２００３．０４．０１」のエントリについて残金１０００円から３００円減算し、７００円とし、課金データベース３２ｄにおける課金テーブル３０ｄに新しいエントリ（ＩＤ＝ｘｉｄ、課金額＝３００）を作成する（ステップＰ４ａ）。
【００７０】
また、コンテンツプロバイダのサービス提供者装置３２は、コンテンツと共に、レスポンスをユーザ端末装置３１に返し（ステップＳ９ａ）、課金データベース３２ｄの課金テーブル３０ｄの情報に基づき、喫茶店ｘ（店舗装置３３）に対して３００円を課金する（ステップＳ１０ａ）。
【００７１】
さらに、ユーザが、ユーザ端末装置３１により、コンテンツプロバイダ（サービス提供者装置３２）に対し、１１００円のコンテンツの購入を要求すると（ステップＳ８ｂ）、コンテンツプロバイダのサービス提供者装置３２は、この要求に対し、ＩＤ管理データベース３２ｃのＩＤ管理テーブル３０ｃにおけるユーザＩＤが「ｕｉｄ」で、かつ残金が０円より大きいもののエントリを全て抽出し、入金日の一番古いものから優先的に減算していく。
【００７２】
今回は、入金日が「２００３．０４．０１」のエントリの残金７００円を０円に、また入金日が「２００３．０４．１０」のエントリの残金２０００円を１６００円とし、課金データベース３２ｄの課金テーブル３０ｄに新しく、第１のエントリ（ＩＤ＝ｘｉｄ、課金額＝７００）と、第２のエントリ（ＩＤ＝ｙｉｄ、課金額＝４００）を作成する（ステップＰ４ｂ）。
【００７３】
そして、コンテンツプロバイダのサービス提供者装置３２は、コンテンツと共に、レスポンスをユーザ端末装置３１に返すと共に（ステップＳ９ｂ）、課金データベース３２ｄの課金テーブル３０ｄの情報に基づき、喫茶店ｘ（店舗装置３３）に対しては７００円を課金し（ステップＳ１０ｂｘ）、喫茶店ｙ（店舗装置３４）に対しては４００円を課金する（ステップＳ１０ｂｙ）。
【００７４】
以上の図３，４で示した例では、ＩＤ管理データベース３０ｃにおいて、同じユーザＩＤに対して、それぞれ個別に、複数の店舗装置から通知されるユーザの支払金額を分けて管理しているが、１つのユーザＩＤに対応付けて管理する構成とすることもできる。
【００７５】
この際、サービス提供装置は、第三者端末装置である店舗装置から通知された金額分の課金を、直ちに当該第三者端末装置に対して行い、店舗装置から通知された金額をＩＤ管理データベースにおいて当該ユーザＩＤに対応付けて記憶し、当該ユーザＩＤを用いて要求され提供した情報処理サービスの料金分だけ上記ＩＤ管理テーブル記憶装置において記憶した金額を減算することで、ＩＤ管理データベースにおいて記憶した金額分だけ当該ユーザＩＤを用いた情報処理サービスの提供を行う。
【００７６】
さらに、サービス提供装置は、複数の店舗末装置から同じユーザＩＤで通知される金額を、ＩＤ管理データベースにおいて加算して当該ユーザＩＤに対応付けて記憶する。
【００７７】
以下、このように、１つのユーザＩＤで複数の課金先を対応付けるシステムの処理動作例を図５と図６を用いて説明する。
【００７８】
図５は、図１におけるサービス提供システムの第４の処理動作例を示すシーケンス図であり、図６は、図１におけるサービス提供システムの第５の処理動作例を示すシーケンス図である。
【００７９】
本図５，６の例では、図１〜図４で説明した例と同様に、喫茶店における無線ネット接続サービスに接続しているユーザがインターネットを経由して有料コンテンツを購入する際の処理動作例を示している。
【００８０】
図５に示すように、ユーザは、ユーザ端末装置５１により、喫茶店ｘの無線ＬＡＮアクセスポイントに接続し（ステップＳ１）、コンテンツプロバイダのサービス提供者装置５２に対してユーザＩＤの発行を要求する（ステップＳ２）。
【００８１】
コンテンツプロバイダのサービス提供者装置５２は、ＩＤ管理データベース５２ｃのＩＤ管理テーブル５０ｃに新しいエントリ（ユーザＩＤ＝ｕｉｄ，残金＝０，）を作成し（ステップＰ１）、このユーザＩＤ（「ｕｉｄ」）をユーザ端末装置５１へ返す（ステップＳ３）。
【００８２】
ユーザはオフラインにて喫茶店ｘの店員にユーザＩＤ（「ｕｉｄ」）を通知すると共に現金１０００円を支払う（ステップＳ４ａ，Ｐ２ａ）。
【００８３】
喫茶店ｘの店員は、喫茶店ｘの端末（店舗装置５３）を用いて、コンテンツプロバイダのサービス提供者装置５２に対し、当該ユーザＩＤ（「ｕｉｄ」）の有効化と１０００円のチャージを要求する（ステップＳ５ａ）。このステップＳ５ａでのメッセージには、ユーザＩＤ（「ｕｉｄ」）と金額（１０００円）の他、自身（店舗装置５３）の識別情報（ＩＤ＝ｘｉｄ）も付帯する。
【００８４】
コンテンツプロバイダのサービス提供者装置５２は、ステップＳ５ａでの店舗装置５３からの要求に対し、ＩＤ管理データベース５２ｃのＩＤ管理テーブル５０ｃからユーザＩＤが「ｕｉｄ」に一致するエントリを抽出し、該エントリの残金に１０００円を加算し、１０００円とし（ステップＰ３ａ）、ステップＳ５ａでの要求を受け付けた旨のレスポンスを、喫茶店ｘの店舗装置５３に返す（ステップＳ６ａ）。
【００８５】
喫茶店ｘの店員は、店舗装置５３により、ステップＳ６ａでのコンテンツプロバイダのサービス提供者装置５２からのレスポンスを受け、オフラインにてユーザ端末装置５１のユーザに１０００円のチャージが完了したことを通知する（ステップＳ７ａ）。
【００８６】
コンテンツプロバイダのサービス提供者装置５２は、課金データベース５２ｄの課金テーブル５０ｄの情報に基づき、喫茶店ｘに１０００円を課金する（ステップＳ１０ａ）。
【００８７】
さらに、ユーザは、オフラインにて、別の喫茶店ｙの店員に、同じユーザＩＤ（「ｕｉｄ」）を通知すると共に現金２０００円を支払うと（ステップＳ４ｂ，Ｐ２ｂ）、喫茶店ｙの店員は、喫茶店ｙの端末（店舗装置５４）を用いて、コンテンツプロバイダのサービス提供者装置５２に対し、当該ユーザＩＤ（「ｕｉｄ」）の有効化と２０００円のチャージを要求する（ステップＳ５ｂ）。このステップＳ５ｂでのメッセージには、ユーザＩＤ（「ｕｉｄ」）と金額（２０００円）の他、自身（店舗装置５４）の識別情報（ＩＤ＝ｙｉｄ）も付帯する。
【００８８】
コンテンツプロバイダのサービス提供者装置５２は、ステップＳ５ｂでの喫茶店ｙの店舗装置５４からの要求に対し、ＩＤ管理データベース５２ｃのＩＤ管理テーブル５０ｃから、ユーザＩＤが「ｕｉｄ」に一致するエントリを抽出し、このエントリの残金に２０００円を加算し、３０００円とし（ステップＰ３ｂ）、ステップＳ５ｂでの要求を受け付けた旨のレスポンスを喫茶店ｙの店舗装置５４に返す（ステップＳ６ｂ）。
【００８９】
喫茶店ｙの店員は、店舗装置５４により、ステップＳ６ｂでのコンテンツプロバイダのサービス提供者装置５２からのレスポンスを受け、オフラインにてユーザ端末装置５１のユーザに２０００円のチャージが完了したことを通知する（ステップＳ７ｂ）。
【００９０】
コンテンツプロバイダのサービス提供者装置５２は、課金データベース５２ｄの課金テーブル５０ｄの情報に基づき、喫茶店ｙ（店舗装置５４）に対して２０００円を課金する（ステップＳ１０ｂ）。
【００９１】
次に、図６に示すように、ユーザが、ユーザ端末装置５１により、コンテンツプロバイダのサービス提供者装置５２に対し、３００円のコンテンツの購入を要求すると（ステップＳ８ａ）、コンテンツプロバイダのサービス提供者装置５２は、この要求に対し、ＩＤ管理データベース５２ｃのＩＤ管理テーブル５０ｃにおけるユーザＩＤの値が「ｕｉｄ」と一致するエントリを抽出し、このエントリの残金３０００円から３００円を減算し、２７００円とする（ステップＰ４ａ）。
【００９２】
そして、コンテンツプロバイダのサービス提供者装置５２は、コンテンツと共に、レスポンスをユーザ端末装置５１に返す（ステップＳ９ａ）。尚、ステップＰ４ａでの処理において、仮に、残金が３００円より少ない場合には何もしない（ステップＰ４ｘ）。
【００９３】
さらに、ユーザが、ユーザ端末装置５１により、コンテンツプロバイダのサービス提供者装置５２に対し、１１００円のコンテンツの購入を要求すると（ステップＳ８ｂ）、コンテンツプロバイダのサービス提供者装置５２は、この要求に対し、ＩＤ管理データベース５２ｃのＩＤ管理テーブル５０ｃにおけるユーザＩＤの値が「ｕｉｄ」と一致するエントリを抽出し、このエントリの残金２７００円から１１００円を減算し、１６００円とする（ステップＰ４ｂ）。
【００９４】
また、コンテンツプロバイダのサービス提供者装置５２は、コンテンツと共に、レスポンスをユーザ端末装置５１に返す（ステップＳ９ｂ）。尚、ステップＰ４ｂにおいて、仮に、残金が１１００円より少ない場合には何もしない（ステップＰ４ｘ）。
【００９５】
以上、図１〜図６を用いて説明したように、本例のサービス提供システムは、サービス提供者（コンテンツプロバイダ）とユーザと第三者（アクセスポイント機能を有する喫茶店ｘ、ｙ）による、ユーザに対する一時的なＩＤ（ユーザＩＤ）の付与とそれに対する課金を行うものであって、サービス提供者は、サービス提供者装置（２，２２，３２，５２）において、ユーザＩＤ、残金、課金先のカラムを有するＩＤ管理テーブル（２０ｃ，３０ｃ，５０ｃ）を格納したＩＤ管理データベース（２２ｃ，３２ｃ，５２ｃ）と、課金先の識別情報（ＩＤ）、課金額のカラムを有する課金テーブル（２０ｄ，３０ｄ，５０ｄ）を格納した課金データベース（２２ｄ，３２ｄ，５２ｄ）を有し、第三者は、サービス提供者から事前に付与された識別情報（ＩＤ）を有する構成となっている。
【００９６】
この構成において、サービス提供者は、ユーザの要求に応じて一時的なユーザＩＤを発行し、ＩＤ管理データベースにおいて当該ユーザＩＤに関する新しいエントリを作成する。
【００９７】
ユーザが第三者に対して当該ユーザＩＤの提示と金額の支払いを行うと、第三者は、店舗装置により、サービス提供者に対して、少なくともユーザから提示されたユーザＩＤと、支払われた金額、および自第三者に事前に付与された識別情報（ＩＤ）を通知して、当該ユーザＩＤに基づくサービス提供に関する課金の保証を行う。
【００９８】
サービス提供者は、第三者からの保証通知に応じて、第三者の識別情報（ＩＤ）を確認し、確認成功後、ＩＤ管理データベースのテーブルにおいて、当該ユーザＩＤのエントリを特定し、このエントリの残金カラムに支払い金額を、課金先カラムに当該第三者の識別情報（ＩＤ）を設定する。
【００９９】
そして、サービス提供者は、ユーザからのユーザＩＤに基づくサービス要求があれば、ＩＤ管理データベースを検索して、ＩＤカラムが当該ユーザＩＤであるエントリを抽出し、このエントリの残金カラムにおける金額（残金）と、要求されたサービスの料金を比較し、残金がサービス料金より大きいか等しい場合は、要求されたサービスを提供すると共に、当該残金カラムの値（残金）を、サービス料金分減算する。尚、残金がサービス料金より小さい場合は、サービスを提供しない。
【０１００】
また、ＩＤ管理データベースにおいては、複数の第三者から通知される同じユーザＩＤでのユーザ支払い日時（入金日）をそれぞれ個別に記録し、当該ユーザＩＤで要求されたサービスを提供した際には、入金日が古い順に優先して、対応する金額を減算する。
【０１０１】
また、ＩＤ管理データベースにおいては、複数の店舗装置から同じユーザＩＤで通知されるユーザ支払い金額を１つの当該ユーザＩＤに対応付けて加算して記憶し、課金データベースにおいて各店舗装置から通知されるユーザ支払い金額を記憶する度に、直ちに当該店舗装置に対して、通知された金額分の課金を行う。
【０１０２】
このようにすることにより、ユーザは、有料サービスを享受する際、従来必要であったクレジットカード番号等の自身の支払を担保するための情報をサービス提供者に通知することが不要となり、同時にサービス提供者に対する匿名性を確保できる。
【０１０３】
また、サービス提供者は、有料サービスを提供する際、対象ユーザの支払能力を確認する手間を省くことができ、かつ当該ユーザが使用したサービスに対する料金を確実に回収することができる。
【０１０４】
尚、本発明は、図１〜図６を用いて説明した例に限定されるものではなく、その要旨を逸脱しない範囲において種々変更可能である。例えば、図２〜図６での例では、無線ＬＡＮアクセスポイントを備えた喫茶店を第三者とし、その喫茶店に設置された端末をユーザ端末装置としているが、有線ＬＡＮを用いたネットワークカフェを第三者としても良い。
【０１０５】
また、本例では、特に明記していないが、インターネットを介して情報処理サービスを提供するシステムに関するものであり、Ｗｅｂサーバ、Ｗｅｂブラウザ等の技術を用いている。
【０１０６】
また、本例でのコンピュータ構成に関しても、キーボードや光ディスクの駆動装置の無いコンピュータ構成としても良い。また、本例では、光ディスクを記録媒体として用いているが、ＦＤ（Ｆｌｅｘｉｂｌｅ  Ｄｉｓｋ）等を記録媒体として用いることでも良い。また、プログラムのインストールに関しても、通信装置を介してネットワーク経由でプログラムをダウンロードしてインストールすることでも良い。
【０１０７】
【発明の効果】
本発明によれば、ユーザは有料サービスを享受する際、従来必要であったクレジットカード番号等の自身の支払を担保するための情報をサービス提供者に通知することが不要となり、サービス提供者に対する匿名性を確保できる。また、サービス提供者は、有料サービスを提供する際、対象ユーザの支払能力を確認する手間を省くことができ、かつ当該ユーザが使用したサービスに対する料金を確実に回収することができる。このことにより、サービス提供者は、その場限りの一見ユーザに対し、ユーザＩＤを簡易に発行し、有料サービスを安心して提供することができる。
【図面の簡単な説明】
【図１】本発明に係わるサービス提供システムの構成例を示すブロック図である。
【図２】図１におけるサービス提供システムの第１の処理動作例を示すシーケンス図である。
【図３】図１におけるサービス提供システムの第２の処理動作例を示すシーケンス図である。
【図４】図１におけるサービス提供システムの第３の処理動作例を示すシーケンス図である。
【図５】図１におけるサービス提供システムの第４の処理動作例を示すシーケンス図である。
【図６】図１におけるサービス提供システムの第５の処理動作例を示すシーケンス図である。
【符号の説明】
１：ユーザ端末装置（「ユーザ端末」）、１ａ：ＩＤ処理部、１ｂ：サービス処理部、２：サービス提供者装置、２ａ：サービス提供処理部、２ｂ：ユーザ管理処理部、２ｃ：ＩＤ管理データベース（「ＩＤ管理ＤＢ」）、２ｄ：課金データベース（「課金ＤＢ」）、３：店舗装置、３ａ：接続処理部、２０ｃ：ＩＤ管理テーブル、２０ｄ：課金テーブル、２１：ユーザ端末装置（「ユーザ」）、２２：サービス提供者装置（「コンテンツプロバイダ」）、２２ｃ：ＩＤ管理データベース（「ＩＤ管理ＤＢ」）、２２ｄ：課金データベース（「課金ＤＢ」）、２３：店舗装置（「喫茶店」）、３０ｃ：ＩＤ管理テーブル、３０ｄ：課金テーブル、３１：ユーザ端末装置（「ユーザ」）、３２：サービス提供者装置（「コンテンツプロバイダ」）、３２ｃ：ＩＤ管理データベース（「ＩＤ管理ＤＢ」）、３２ｄ：課金データベース（「課金ＤＢ」）、３３：店舗装置（「喫茶店ｘ」）、３４：店舗装置（「喫茶店ｙ」）、５０ｃ：ＩＤ管理テーブル、５０ｄ：課金テーブル、５１：ユーザ端末装置（「ユーザ」）、５２：サービス提供者装置（「コンテンツプロバイダ」）、５３：店舗装置（「喫茶店ｘ」）、５４：店舗装置（「喫茶店ｙ」）。
【図１】
2004342027.tif 000003
【図２】
2004342027.tif 000004
【図３】
2004342027.tif 000005
【図４】
2004342027.tif 000006
【図５】
2004342027.tif 000007
【図６】
2004342027.tif 000008